(57)【要約】【課題】柔らかく、安定した状態で患部に当てることができ、連続して使用することができる冷却器具を提供する。【解決手段】袋１１とクッション材１２と冷却部材１３とを有する。袋１１は、開閉可能な開口１１ａを有し、可撓性および防水性を有する。クッション材１２は、内部に流体を封入した複数の気密室１２ａを有し、袋１１の表面に設けられている。冷却部材１３は、開口１１ａから袋１１の内部に収納可能である。あらかじめ冷却された冷却部材１３を開口１１ａから袋１１の内部に収納し、開口１１ａを閉じる。その後、後頭部、脇の下、額やそけい部などの熱のある部分に当てて使用される。【選択図】図１
0003096890.tif 000002
【実用新案登録請求の範囲】
【請求項１】
開閉可能な開口を有する可撓性および防水性の袋と、
内部に流体を封入した複数の気密室を有し、前記袋の表面に設けられたクッション材と、
前記開口から前記袋の内部に収納可能な冷却部材とを、
有することを特徴とする冷却器具。
【考案の詳細な説明】
【０００１】
【考案の属する技術分野】
本考案は、氷枕などに使用可能な冷却器具に関する。
【０００２】
【従来の技術】
従来の一般的な冷却器具として、氷枕および氷嚢がある。氷枕および氷嚢は、ゴム製の袋などに氷や水を入れて頭を乗せたり額の上に乗せたりして使用される。しかし、従来の氷枕および氷嚢は、袋の素材が薄いため、頭を乗せたり額に当てたりしたときに氷のゴツゴツした感触を受け、また、氷が袋の中で移動して、患部に当てた状態が不安定になるという問題がある。
【０００３】
そこで、この問題を解決し、安定した状態で患部に当てることができる冷却器具として、容器を柔軟性素材で厚肉状に形成し、容器の内部に形成された中空部に冷媒を充填し、冷媒を凍結させた場合でも容器は凍結せずに、患部に柔軟な触感を付与するものがある（例えば、特許文献１参照）。
【０００４】
【特許文献１】
特開２００２−３２５７８８号公報
【０００５】
【考案が解決しようとする課題】
しかしながら、特許文献１に記載の冷却器具では、冷媒を凍結させるために容器全体を冷凍庫などに入れなければならないため、冷媒が融解して冷却効果が下がると、再び使用できるようになるまでに時間がかかるという課題があった。
【０００６】
本考案は、このような従来の課題に着目してなされたもので、柔らかく、安定した状態で患部に当てることができ、連続して使用することができる冷却器具を提供することを目的とする。
【０００７】
【課題を解決するための手段】
上記目的を達成するために、本考案に係る冷却器具は、開閉可能な開口を有する可撓性および防水性の袋と、内部に流体を封入した複数の気密室を有し、前記袋の表面に設けられたクッション材と、前記開口から前記袋の内部に収納可能な冷却部材とを、有することを特徴とする。
【０００８】
本考案に係る冷却器具では、袋の開口は、ファスナーや面ファスナー（商標名「マジックテープ」）などにより開閉可能に構成することが好ましい。袋は、塩化ビニールなど、可撓性および防水性を有する素材であれば、いかなるものから成ってもよい。クッション材は、適度な弾力性を有する程度に、内部に流体を封入するのが好ましい。冷却部材は、保冷剤などから成り、特に、氷などを容器に入れたものから成ることが好ましい。
【０００９】
本考案に係る冷却器具は、あらかじめ冷却された冷却部材を開口から袋の内部に収納し、開口を閉じてから、後頭部、脇の下、額やそけい部などに当てて使用される。本考案に係る冷却器具は、冷却部材により、袋およびクッション材を通して患部を冷却することができる。
【００１０】
本考案に係る冷却器具は、袋の表面にクッション材を有しているため、柔らかくなっている。また、クッション材を有するとともに、袋が可撓性を有しているため、患部の形状に合わせて安定した状態で患部に当てることができる。本考案に係る冷却器具は、袋が防水性を有しているため、内部の冷却部材が容器から溶け出しても、袋の外部には漏れない。
【００１１】
本考案に係る冷却器具は、あらかじめ冷凍庫などで交換用の冷却部材を準備しておくことにより、冷却効果が下がった場合でも、冷却部材を交換し継続して使用することができる。
【００１２】
【考案の実施の形態】
以下、図面に基づき本考案の実施の形態を説明する。
図１乃至図４は、本考案の実施の形態を示している。
図１に示すように、冷却器具１０は、袋１１とクッション材１２と冷却部材１３とを有する。
【００１３】
図１に示すように、袋１１は、可撓性および防水性を有する塩化ビニール製で、薄い直方体を成している。袋１１は、開口１１ａとファスナー１１ｂと吊り紐１１ｃとを有している。開口１１ａは、袋１１の一つの側面から、その両端に隣接する側面の一部にかけて設けられている。開口１１ａは、ファスナー１１ｂにより、開閉可能に構成されている。なお、袋１１は、１枚のシート状に広げることが可能であってもよい。この場合、縁を面ファスナーなどで貼り付けることにより袋状にすることができる。吊り紐１１ｃは、環状に形成され、開口１１ａを有しない側面の中央付近に設けられている。
【００１４】
図１に示すように、クッション材１２は、表面が塩化ビニール製で、袋１１の上面および下面に設けられている。クッション材１２は、適度な弾力性を有する程度に、内部に水を封入した複数の気密室１２ａを有している。一例では、上下面とも袋１１の長さ方向に沿って５つの気密室１２ａを有している。
【００１５】
冷却部材１３は、ＰＥＴ樹脂から成る薄い板状の容器に水を入れて凍らせて成る。容器は、生理食塩水封入用のプラスチックボトルから成ってもよい。冷却部材１３は、開口１１ａから袋１１の内部に収納可能な大きさを有している。冷却部材１３は、氷が溶けて冷却効果が下がっても、冷凍庫に入れて再び凍結させることにより、繰り返し使用することができる。また、冷却部材１３は、氷が固いＰＥＴ樹脂の容器に入っているため、氷が溶けても凹んで形が崩れない。
【００１６】
次に、作用について説明する。
図１に示すように、冷却器具１０は、あらかじめ冷却された冷却部材１３を開口１１ａから袋１１の内部に収納し、開口１１ａをファスナー１１ｂで閉じてから、後頭部、脇の下、額やそけい部などの熱のある部分に当てて使用される。冷却器具１０は、冷却部材１３により、袋１１およびクッション材１２を介して患部を冷却することができる。
【００１７】
冷却器具１０は、袋１１の表面にクッション材１２を有しているため、触感に優れている。また、クッション材１２を有するとともに、袋１１が可撓性を有しているため、患部の形状に合わせて安定した状態で患部に当てることができる。冷却器具１０は、袋１１が防水性を有しているため、内部の冷却部材１３が容器から溶け出しても、袋１１の外部には漏れない。
【００１８】
冷却器具１０は、あらかじめ冷凍庫などで交換用の冷却部材１３を準備しておくことにより、冷却効果が下がった場合でも、冷却部材１３を交換し継続して使用することができる。
【００１９】
なお、冷却器具１０は、冷却部材１３に代えて保温材などから成る温熱部材を袋１１の内部に収納することにより、湯たんぽとして使用することもできる。この場合、温熱部材は、温熱効果が下がっても、電子レンジなどであたためることにより、繰り返し使用することができる。また、あらかじめ交換用の温熱部材を準備しておくことにより、温熱効果が下がった場合でも、温熱部材を交換し継続して使用することができる。
【００２０】
なお、図２に示すように、冷却器具１０は、袋１１の側面にもクッション材１２が設けられていてもよい。この場合、袋１１の側面での触感も優れ、患部に当てた場合の安定性がより高くなる。
【００２１】
また、図３（Ａ）に示すように、冷却器具１０は、袋１１の対向する側面に１対のベルト通し１４が設けられていてもよい。この場合、図３（Ｂ）に示すように、２つの冷却器具１０を額と後頭部とに当て、各冷却器具１０の対向するベルト通し１４を長さ調節可能なベルト１４ａで結合する。これにより、冷却器具がずれることなく安定した状態で、額と後頭部とを同時に冷却することができる。
【００２２】
また、図４に示すように、冷却器具１０は、頭部用ネット１５の額および後頭部に対応する位置に取り付けられていてもよい。この場合、頭部用ネット１５をかぶることにより、額と後頭部とを同時に冷却することができる。
【００２３】
【考案の効果】
本考案によれば、柔らかく、安定した状態で患部に当てることができ、連続して使用することができる冷却器具を提供することができる。
【図面の簡単な説明】
【図１】本考案の実施の形態の冷却器具を示す（Ａ）正面図、（Ｂ）右側面図、（Ｃ）平面図である。
【図２】図１に示す冷却器具のクッション材の変形例を示す側面図である。
【図３】図１に示す冷却器具のベルト通しを有する変形例を示す（Ａ）平面図、および（Ｂ）その使用状態を示す側面図である。
【図４】図１に示す冷却器具の頭部用ネットに取り付けられた変形例の使用状態を示す側面図である。
【符号の説明】
１０　冷却器具
１１　袋
１１ａ　開口
１１ｂ　ファスナー
１１ｃ　吊り紐
１２　クッション材
１２ａ　気密室
１３　冷却部材
１４　ベルト通し
１５　頭部用ネット
【図１】
0003096890.tif 000003
【図２】
0003096890.tif 000004
【図３】
0003096890.tif 000005
【図４】
0003096890.tif 000006